(57)【要約】      （修正有）【課題】平坦な通路も走行や、且つ階段の昇降やエスカレーターにも利用できる機能を具備させ、多用性を保持させた運搬用台車や乳母車を提供する。【解決手段】本体１は引き具１−１と、支点２を具備させ、支点は車軸受け３を有して、車輪４、４−１を保持させ、車軸受け具はピン５を備え、本体に固定具６を具備し、ストツパー７を有し、引きだし板８には、荷台９を備え、荷台に、伸縮具９−１を有する。【選択図】図１
2008068851.tif 000002
【特許請求の範囲】
【請求項１】
本体（１）には引き具（１−１）と、支点（２）を具備させ、支点（２）には車軸受け（３）を有して、車輪（４）（４−１）を保持させ、車軸受け具（３）はピン（５）を備え、本体（１）に固定具（６）を具備し，ストツパー（７）を有し、引きだし板には荷台（９）備え，荷台（９）には伸縮具（９−１）を有した多機能台車
【請求項２】
本体（２−１）には、押し具（２−２）を具備させ、ストツパー（２−３）を保持し、支点（２−４）を有し、車輪受け（２−５）を備え、車輪（２−６）（２−７）保持させ，リンク具（２−８）には，ロツト軸（２−９）を有し，押し具（２−２）にロツト固定具（Ｄ）と穴（Ａ），（Ｂ），（Ｃ）を有した多機能台車
【発明の詳細な説明】
【技術分野】
【０００１】平坦な通路も走行や、且つ階段の昇降やエスカレーターにも利用できる機能を具備させ、多用性を保持させた運搬用台車や乳母車を提供する。
【背景技術】
【０００２】階段昇降用の台車として特開２００４−３１４８７９は構成が複雑で、特開２００３−７２５５７は重量物の専用で、特開２００５−１４５４２０は構成が複雑で、特開２００２−５３０４６は使用に慣れが必要で、特開２０００−１８５６５５も婦女子は使用が難儀である。
【発明の開示】
【０００３】上述の欠点を解決する為に、従来の台車は平地にての使用を目的とし階段やエスカレーターの使用時は階段で台車と荷物を分割して手に、又は台車と荷物を一緒に持ち上げ、乳母車等は折りたたんで手に持ち、幼児を抱いての使用で、スーパー等の利用時や、荷物が多い時は難儀で、本案は以上の欠点を解消して、階段やエスカレーターでの安全に且つ円滑の利用を提供される。
【課題を解決するための手段】
【０００４】〔請求項１〕の説明  本体（１）は引き具（１−１）と、支点（２）を具備させ、支点（２）は車軸受け（３を有して、車輪（４）（４−１）を保持させ、車軸受け具（３）はピン（５）を備え、本体（１）に固定具（６）を具備し、ストツパー（７）を有し、引きだし板（８）には、荷台（９）を備え、荷台（９）に、伸縮具（９−１）を有した多機能台車。
〔請求項２〕の説明  本体（２−１）に押し具（２−２）を具備させ、ストツパー（２−３）を保持し、支点（２−４）を有して、車輪受け（２−５）を備え、車輪（２−６）（２−７）を保持させ、リンク具（２−８）には、ロツト軸（２−９）を有し、押し具（２−２）にロツト固定具（Ｄ）と位置決め穴（Ａ）、（Ｂ），（Ｃ）、を有した多機能台車。
【発明の効果】
【０００５】現在、市販及び公開されている、運搬用の台車は平坦な通路を利用の目的で階段等の段差では荷物と台車を区分して、手に持つ手階段を昇降し、高齢者や身障者には難儀で妊婦などは危険でもあり、本発明は荷物を積載のまま階段でも平坦路でも移動が可能であり、幼児を乗せるベビーカー等もエスカレーターの使用は禁止であるが安全性が確立されれば使用も可能となる。
▲１▼台車に積載時の階段では安全、敏速に作業ができる。
▲２▼スーパー等のエスカレーター利用時の乳母車は安全である。
▲３▼荷台が拡大するので複数の灯油容器の運搬が楽である
▲４▼災害時の高層住宅は停電でエレベターは停止のため生活物資の運搬に使用される。
▲５▼五階以下の集合住宅はエレベターの設置の義務が無く徒歩での昇降である。
【発明を実施するための最良の形態】
【００６】請求項１の説明  本体（１）は引き具（１−１）を有し、本体（１）に支点（２）を具備させて支点（２）は車軸受け（３）を有し車輪（４）（４−１）を保持し、主軸受け具（３）はピン（５）を具備させ、本体（１）に固定具（６）を備えて、ストツパー（７）を有し引出し板（８）を保持し、引出し版（８）の荷台（９）に伸縮具（９−１）を有した多機台車。
〔請求項２〕の説明  本体（２−１）に押し具（２−２）を有し、ストツパー（２−３）を保持し、支点（２−４）を有し支点（２−４）は車輪受け（２−５）を有し車輪（２−６）（２−７）を保持し、リンク具（２−８）を具備しロツト軸（２−９）を有し、押し具（２−２）のロツト固定具（Ｄ）と位置決め穴（Ａ）．（Ｂ），（Ｃ）を有した多機能台車
【実施例Ａ】
【００７】本発明の提出図面の説明をする。
〔図−１〕  本体（１）には、移動用の引き具（１−１）を具備して、本体（１）の底部に支点（２）を有し支点（２）にＬ型の車軸受け（３）を備えて、車輪（４）（４−１）を保持し、本体（１）にはピン（５）を有し、固定具（６）を具備させて停止時のストツパー（７）を有し、引出し板（８）は荷台（９）の伸縮具（９−１）と連携する。
〔図−３〕  本体）に（２−１）に、移動用の引き具（２−２）を具備させ、車輪止め（２−３）を保持し、本体（２−１）中央に支点（２−４）を有し、支点（２−４）には車輪受け具（２−５）を有して車輪（２−６）（２−７）を保持しリンク（２−８）を具備しロツト軸（２−９）を有し、０押し具（２−２）とロツト固定具（Ｄ）の位置きめ穴（Ａ），（Ｂ），（Ｃ）を有す。
【実施例Ｂ】
【００８】本発明の使用方法を実施例にて説明をする。
〔図−２〕  台車の説明をすると、本体（１）の、荷台（９）に荷を積載して引き具（１−１）を引くと本体（１）の車輪（４）（４−１）が回転し支点（２）を基凖に傾斜し移動を開始し、車輪（４−１）が階段の直面に接すると車輪（４−１）の車軸（４−２）を足で持ち上げると主軸受け（３）の有するピン（５）が固定具（６）に勘合して固定し、引き具（１−１）を引くと車輪（４−１）は階段の直面を回転して上昇し、車輪（４−１）が階段の平面に接すると次の車輪（４）が階段の直面に接して上昇して、台車は円滑に階段を上昇して反復動作で階段を昇降して、平坦路では複帰させる。
〔図−４〕  次に乳母車の説明をすると、平坦路（Ｅ）では従来の作動で、エスカレーターの上昇時は、本体（２−１）の押し具（２−２）に内設する位置決め穴Ｂのロツクを解除すると車輪（２−６）（２−７）は支点（２−４）を基準にエスカレーターの段差に作用し、車輪受け具（２−５）は作動しリンク（２−８）を介してロツト軸（２９）は押し具（２−２）内を下降し位置決め穴Ｃにて固定し、車輪（２６）も車輪止め（２−３）がブレーキ作用に成り、エスカーレターが上昇時、車輪（２−６）が上段に来て、下降時は車輪（２−７）が上段に位置し乳母車は支点（２−４）の作用で車軸（２−５）を作動させて、エスカレーターの段差に追従し、車輪（２−６）（２−７）の作動で（Ｅ−１）、段差を解決し乳母車本体（２−１）は平行で幼児は安全である。
【図面の簡単な説明】
【０００９】
【図１】  〔請求項１〕台車本体の発明の側面断面図
【図２】  〔請求項１〕台車の作動の本体側面断面図
【図３】  〔請求項２〕乳母車の本体側面断面図
【図４】  〔請求項２〕乳母車の作動側面断面図
【符号の説明】
【００１０】〔請求項−１〕の説明
本体（１）引き具（１−１）支点（２）車軸受け（３）車輪（４）（４−１）ピン（５）固定具（６）ストツパー（７）引出し板（８）荷台（９）伸縮材（９−１）
〔請求項−２〕の説明
本体（２−１）押し具（２−２）車輪止め（２−３）支点（２−４）車軸受け（２−５）車輪（２−６）（２−７）リンク（２−８）ロツト軸（２−９）位置決め穴（Ａ）＝（下降）（Ｂ）＝（中立）（Ｃ）＝（上昇）Ｄ（ロツト固定具）Ｅ（平旦路）Ｅ−１（エスカーレター昇降板）
【図１】
2008068851.tif 000003
【図２】
2008068851.tif 000004
【図３】
2008068851.tif 000005
【図４】
2008068851.tif 000006